(57)【要約】【課題】製造コストを低減することができるとともに、小形化を図ることができるエレベータのかご操作盤を得る。【解決手段】かご操作盤１には、複数の行先釦２、開釦３及び閉釦４を含む操作釦が設けられている。かご操作盤１内のかご制御基板６には、マイコン７が搭載されている。マイコン７は、ＥＥＰＲＯＭ１４を有している。また、マイコン７は、操作釦からの情報に基づいて釦配列登録データをＥＥＰＲＯＭ１４に記憶させる設定モードと、操作釦からの情報及びＥＥＰＲＯＭ１４に記憶された釦配列登録データに基づいてエレベータの運転を制御する運転モードとの間で切り替え可能になっている。さらに、マイコン７は、マイコン７への給電が開始されたときから所定の時間内に所定の操作釦に対して所定の操作がされた場合に設定モードとされるようになっている。【選択図】図１
2006151576.tif 000002
【特許請求の範囲】
【請求項１】
かご内で操作される複数の操作釦、及び
記憶部を有し、各上記操作釦からの情報に基づいて所定の設定情報を上記記憶部に記憶させる設定モードと、各上記操作釦からの情報及び上記記憶部に記憶された上記設定情報に基づいてエレベータの運転を制御する運転モードとの間で切り替え可能なかご制御部
を備え、
上記かご制御部は、上記かご制御部への給電が開始されたときから所定の時間だけ上記設定モードとされるようになっていることを特徴とするエレベータのかご操作盤。
【請求項２】
かご内で操作される複数の操作釦、及び
記憶部を有し、各上記操作釦からの情報に基づいて所定の設定情報を上記記憶部に記憶させる設定モードと、各上記操作釦からの情報及び上記記憶部に記憶された上記設定情報に基づいてエレベータの運転を制御する運転モードとの間で切り替え可能なかご制御部
を備え、
上記かご制御部は、上記かご制御部への給電が開始されたときから所定の時間内に所定の上記操作釦に対して所定の操作がされた場合に上記設定モードとされるようになっていることを特徴とするエレベータのかご操作盤。
【請求項３】
各上記操作釦の一部は、上記かごの行き先階として階床をそれぞれ登録するための複数の行先釦とされており、
上記かご制御部は、上記設定モードにおいて、各上記行先釦と上記行先釦により呼びが登録される各上記階床との関連付けを設定し、当該設定された情報を上記設定情報として上記記憶部に記憶するようになっており、上記運転モードにおいて、各上記行先釦からの情報及び上記記憶部に記憶された上記設定情報とを比較することにより、上記行先釦の操作によって登録された上記階床を判定して呼びの登録を行うとともに、登録された上記階床へ上記かごを移動させるようになっていることを特徴とする請求項１又は請求項２に記載のエレベータのかご操作盤。
【請求項４】
上記設定モードにおいて上記記憶部に記憶させるための上記階床を表示し、上記運転モードにおいて上記かごの位置を表示する表示装置をさらに備えていることを特徴とする請求項３に記載のエレベータのかご操作盤。
【請求項５】
上記かご制御部には、上記設定情報を記憶可能なデータ入出力装置が電気的に接続可能になっており、
上記設定情報は、上記データ入出力装置が上記かご制御部に接続されているときに、上記データ入出力装置と上記記憶部との間で伝送可能になっており、
上記設定モードにおいて、上記データ入出力装置から上記記憶部への上記設定情報の書き込みが可能になっていることを特徴とする請求項１乃至請求項４の何れかに記載のエレベータのかご操作盤。
【発明の詳細な説明】
【技術分野】
【０００１】
この発明は、かご内で操作される複数の操作釦が設けられたエレベータのかご操作盤に関するものである。
【背景技術】
【０００２】
従来のエレベータのかご操作盤では、制御装置に設定される各操作釦の配列順を登録変更するために、制御装置の制御モードが行先釦配列指定モード（設定モード）に切り替えられるようになっている。行先釦配列指定モードでは、各操作釦の操作により、各操作釦の配列順が制御装置に登録変更される。行先釦配列指定モードへの切り替えは、制御装置に電気的に接続された設定スイッチの操作により行われるようになっている（特許文献１参照）。
【０００３】
【特許文献１】特開平２−６２３８６号公報
【発明の開示】
【発明が解決しようとする課題】
【０００４】
しかし、制御装置には、行先釦配列指定モードに切り替えるための設定スイッチが接続されているので、設定スイッチの分だけ部品点数が多くなり、コスト低減を図ることができなくなってしまう。
【０００５】
また、通常運転時では操作されない設定スイッチは、通常はカバー等によりかご操作盤内に隠されているので、登録変更時には、設定スイッチを操作するためにカバーを開ける等の手間がかかってしまう。
【０００６】
この発明は、上記のような問題点を解決することを課題としてなされたものであり、製造コストを低減することができるとともに、設定モードへの切り替えを容易にすることができるエレベータのかご操作盤を得ることを目的とする。
【課題を解決するための手段】
【０００７】
この発明に係るエレベータのかご操作盤は、かご内で操作される複数の操作釦、及び記憶部を有し、各操作釦からの情報に基づいて所定の設定情報を記憶部に記憶させる設定モードと、各操作釦からの情報及び記憶部に記憶された設定情報に基づいてエレベータの運転を制御する運転モードとの間で切り替え可能なかご制御部を備え、かご制御部は、かご制御部への給電が開始されたときから所定の時間内に所定の操作釦に対して所定の操作がされた場合に設定モードとされるようになっている。
【発明の効果】
【０００８】
この発明に係るエレベータのかご操作盤では、かご制御部は、設定モードと運転モードとの間で切り替え可能になっており、かご制御部への給電が開始されたときから所定の時間内に所定の操作釦に対して所定の操作がされた場合に設定モードとされるようになっているので、設定モードに設定するための設定スイッチ、及び設定スイッチとマイコンとを仲介する設定スイッチインタフェースを別個に設ける必要がなくなり、部品点数を削減することができる。これにより、コストの低減を図ることができる。また、操作釦の操作のみにより設定モードに切り替えることができるので、設定モードへの切り替えを容易にすることができる。
【発明を実施するための最良の形態】
【０００９】
実施の形態１．
図１は、この実施の形態１によるエレベータのかご操作盤を示すブロック図である。図において、かごの内壁には、かご操作盤１が設けられている。かご操作盤１には、かごの行き先階を指定するための複数の行先釦２と、かご出入口を開閉するための開釦３及び閉釦４と、かご内への表示を行うインジケータ（表示装置）５とが設けられている。なお、各行先釦２、開釦３及び閉釦４は、かご内で操作される操作釦である。
【００１０】
かご操作盤１内には、各行先釦２、開釦３、閉釦４及びインジケータ５がそれぞれ電気的に接続されたかご制御基板６が設けられている。かご制御基板６には、かご制御部であるワンチップマイクロコンピュータ７（以下、単に「マイコン７」という）と、各行先釦２とマイコン７との間を仲介する行先釦インタフェース８と、インジケータ５とマイコン７との間を仲介するインジケータインタフェース９と、開釦３及び閉釦４とマイコン７とを仲介する開閉釦インタフェース１０と、かご制御基板６から外部への入出力のための信号入出力インタフェース１１とが搭載されている。
【００１１】
信号入出力インタフェース１１には、エレベータ制御装置１２が電気的に接続されている。エレベータ制御装置１２とマイコン７とは、信号入出力インタフェース１１を介して互いに情報伝送可能になっている。エレベータの運転は、かご制御基板６からかご情報を得てエレベータ制御装置１２により制御される。
【００１２】
各行先釦２には、建物の各階床名がそれぞれ表示されている。各行先釦２が操作されると、行先釦２からの操作情報が行先釦インタフェース８を介してマイコン７に入力され、行先釦２の登録がそれぞれ行われるようになっている。また、マイコン７は、登録された行先釦２へ点灯指令を出力するようになっている。点灯指令は、行先釦インタフェース８を介してマイコン７から行先釦２へ伝送され、行先釦２が点灯されるようになっている。
【００１３】
開釦３が操作されると戸開指令が、閉釦４が操作されると戸閉指令がそれぞれ開閉釦インタフェース１０を介してマイコン７に入力されるようになっている。戸開指令及び戸閉指令がマイコン７に入力されると、これらの情報がマイコン７からエレベータ制御装置１２へ伝送され、かご出入口はエレベータ制御装置１２の制御により開閉される。
【００１４】
マイコン７は、エレベータの運転のための演算処理を行うＣＰＵ（中央処理装置）１３と、ＣＰＵ１３での処理に必要な情報を記憶し、ＣＰＵ１３との間で情報を伝送可能なＥＥＰＲＯＭ（記憶部）１４と、ＣＰＵ１３での演算結果等を含む情報を記憶するＲＡＭ１５とを有している。
【００１５】
ＥＥＰＲＯＭ１４は、例えば各行先釦２と各階床名とが関連付けて設定された釦配列登録データ（所定の設定情報）やエレベータの運転を行うためのプログラム等を含むエレベータ処理情報を記憶可能になっている。また、ＥＥＰＲＯＭ１４は、エレベータ処理情報を電気的に記憶可能で、かつ記憶された情報を電気的に消去可能になっている。即ち、ＥＥＰＲＯＭ１４に記憶された情報を書き換え可能になっている。
【００１６】
マイコン７の制御モードは、各行先釦２、開釦３及び閉釦４のそれぞれの操作による情報に基づいて釦配列登録データをＥＥＰＲＯＭ１４に記憶させる設定モードと、各行先釦２、開釦３及び閉釦４のそれぞれの操作による情報に基づいてエレベータの運転を制御する運転モードとの間で切り替え可能になっている。
【００１７】
また、マイコン７は、給電が開始されたときから所定の時間内に所定の操作釦に対して所定の操作が行われた場合、設定モードとされるようになっている。この例では、電源投入されてから所定の時間内に開釦３及び閉釦４が同時に操作された（押された）場合に、マイコン７のモードが設定モードとされる。即ち、マイコン７への電源投入後、所定の時間内に戸開指令と戸閉指令とがともにマイコン７に入力された場合に、設定モードとされる。
【００１８】
さらに、マイコン７の制御モードは、各行先釦２、開釦３及び閉釦４のそれぞれが所定の時間を経過しても操作されない場合に、運転モードとされるようになっている。即ち、設定モード及び運転モードのいずれかへの移行の判定は、各操作釦からの情報に基づいてマイコン７により行われるようになっている。
【００１９】
インジケータ５は、マイコン７からの指令により各階床名を表示するようになっている。設定モードでは、操作釦と関連付けて設定するための階床名、即ちＥＥＰＲＯＭ１４に記憶させようとしている階床名がインジケータ５に順次表示される。運転モードでは、かごの位置（階床）がインジケータ５に表示される。なお、設定モードでは、インジケータ５に表示された階床名が開釦３及び閉釦４の操作により変更可能になっている。
【００２０】
マイコン７は、設定モードにおいて、各操作釦の操作による情報に基づいて釦配列登録データをＥＥＰＲＯＭ１４に記憶するようになっている。即ち、設定モードでは、各操作釦の操作による情報に基づいて、各行先釦２と行先釦２により呼びが登録される各階床名とを関連付けてＥＥＰＲＯＭ１４に記憶されるようになっている。
【００２１】
例えば、設定モードにおいてインジケータ５に表示されている階床名が「３」である場合、複数の行先釦２のうち、下から３番目に配置された行先釦２を操作すると、マイコン７には、下から３番目に配置された行先釦２と階床名「３」とを関連付けたデータがＲＡＭ１５に登録されるようになっている。設定モードでは、各行先釦２と各階床名とを関連付けてＲＡＭ１５に登録することにより釦配列登録データを構成してから、釦配列登録データがＥＥＰＲＯＭ１４に記憶されるようになっている。
【００２２】
また、マイコン７は、運転モードにおいて、各行先釦２からの情報とＥＥＰＲＯＭ１４に記憶された釦配列登録データとを比較することにより、かご内で操作された行先釦２に対応する階床をかごの行き先階として判定し、呼びの登録を行うようになっている。運転モードでは、マイコン７により判定された行き先階の情報が信号入出力インタフェース１１を介してマイコン７からエレベータ制御装置１２へ伝送され、エレベータ制御装置１２の制御によりかごが行き先階へ運転される。
【００２３】
図２は、図１のマイコン７の機能構成を示すブロック図である。図において、マイコン７は、電源投入の有無を検出する電源投入検出手段２５と、電源投入されたときに起動され、各操作釦の接点入力の有無を検出する釦操作検出手段１６と、電源投入検出手段２５及び釦操作検出手段１６によってそれぞれ検出された情報に基づいて、電源投入されてから所定の時間内に所定の操作が行われたか否かの判定を行う判定手段１７と、判定手段１７による判定に基づいて設定モードと運転モードとの切り替えを行う切替手段１８と、ＥＥＰＲＯＭ１４及びＲＡＭ１５を含み、釦配列登録データを記憶するための記憶手段２６と、設定モードにおける制御を行う設定モード制御手段１９と、運転モードにおける制御を行う運転モード制御手段２０とを有している。
【００２４】
判定手段１７は、電源投入検出手段２５及び釦操作検出手段１６からのそれぞれの情報に基づいて、マイコン７のモードを設定モード及び運転モードのいずれかとする判定を行うようになっている。即ち、判定手段１７は、電源投入されてから所定の時間内に所定の操作釦に対して所定の操作がされた場合に設定モード判定を行い、電源投入されてから所定の時間内の所定の操作釦に対する操作が所定の操作と異なる場合、あるいは所定の操作釦に対する操作が行われない場合に運転モード判定を行うようになっている。この例では、開釦３及び閉釦４が同時に操作されることを所定の操作釦に対する所定の操作としている。
【００２５】
切替手段１８は、判定手段による判定が設定モード判定である場合にマイコン７のモードを設定モードとし、判定手段による判定が運転モード判定である場合にマイコン７のモードを運転モードとするようになっている。
【００２６】
設定モード制御手段１９は、操作釦と関連付けて設定するための階床名をインジケータ５に順次表示させる設定モード表示手段２１と、各操作釦及び設定モード表示手段２１のそれぞれからの情報に基づいて釦配列登録データを記憶手段２６に記憶させるための処理を行う設定モード処理手段２２とを有している。設定モード制御手段１９は、操作釦のうちの１つが操作されると、その操作釦の位置と、インジケータ５に表示された階床名とを関連付けて記憶手段２６に記憶するとともに、インジケータ５に表示された階床名を順次替えて、全ての階床と操作釦とを関連付けて記憶手段２６に記憶することにより、釦配列登録データを記憶手段２６に記憶するようになっている。
【００２７】
設定モード表示手段２１は、切替手段１８によりマイコン７のモードが設定モードとされたときに、記憶手段２６に初期設定された階床名をインジケータ５に表示させるようになっている。また、設定モード表示手段２１は、開釦３及び閉釦４のいずれかの操作による情報がマイコン７に入力されたときにインジケータ５に表示させる階床名を変更するようになっている。即ち、設定モード表示手段２１は、所定の操作釦の操作により、インジケータ５に表示させる階床名を変更するようになっている。
【００２８】
設定モード処理手段２２は、かご内で操作された行先釦２と、インジケータ５に表示されている階床名とを関連付けてＲＡＭ１５に登録するようになっている。また、設定モード処理手段２２は、全ての階床名と各行先釦２とが関連付けられてＲＡＭ１５に設定されると、ＲＡＭ１５に登録されたデータを釦配列登録データとしてＥＥＰＲＯＭ１４に記憶するようになっている。
【００２９】
運転モード制御手段２０は、かごの位置をインジケータ５に表示させる運転モード表示手段２３と、エレベータの運転を制御するために各操作釦の操作による情報を処理する運転モード処理手段２４とを有している。また、運転モード制御手段２０は、エレベータ制御装置１２との間で情報のやり取りを行うことにより、エレベータの運転を制御するようになっている。即ち、エレベータは、運転モード制御手段２０及びエレベータ制御装置１２により、通常運転される。
【００３０】
次に、動作について説明する。図３は、図１のかご操作盤１の動作を示すフローチャートである。図に示すように、かご操作盤１への給電が開始されると（Ｓ１）、マイコン７において、所定の時間内に開釦３及び閉釦４に対して所定の操作が行われたか否かが判定される（Ｓ２）。開釦３及び閉釦４に対して所定の操作がされていない場合には、マイコン７は運転モードとされ（Ｓ１４）、エレベータは通常運転される。
【００３１】
所定の時間内に開釦３及び閉釦４に対して所定の操作が行われた場合には、マイコン７の制御モードは設定モードとされる（Ｓ３）。この後、インジケータ５には、ＥＥＰＲＯＭ１４に初期設定された階床名が表示される（Ｓ４）。階床名がインジケータ５に表示された後には、マイコン７において、所定の時間内に行先釦２が選択されたか否かが判定される（Ｓ５）。
【００３２】
行先釦２が選択された場合には、マイコン７において、選択された行先釦２からの情報がＲＡＭ１５に記憶される（Ｓ６）。このとき、行先釦２からの情報は、インジケータ５に表示された階床名に関連付けてＲＡＭ１５に記憶される。この後、ＲＡＭ１５への記憶の対象とされた行先釦２がマイコン７の指令により点滅される（Ｓ７）。
【００３３】
この後、各行先釦２の接点が全てＯＦＦとされているか否かがマイコン７により判定される（Ｓ８）。この判定は、各行先釦２の接点が全てＯＦＦになるまでマイコン７により繰り返し行われる。
【００３４】
各行先釦２の接点が全てＯＦＦとされた後、所定の時間内に開釦３及び閉釦４のいずれかの操作があったか否かがマイコン７により判定される（Ｓ９）。
【００３５】
開釦３及び閉釦４のいずれかの操作があった場合には、開釦３及び閉釦４の操作によりインジケータ５の表示が変更され、新たな階床名がインジケータ５に表示される（Ｓ１０）。この後、新たな階床名に対応する行先釦２の情報をＲＡＭ１５に記憶させるための動作が再度行われる（Ｓ５〜Ｓ９）。このような動作が繰り返し行われ、全ての階床名と各行先釦２とが関連付けられてＲＡＭ１５に記憶される。なお、この動作の間、登録完了済みの行先釦２の点滅は継続されている。
【００３６】
所定時間内に開釦３及び閉釦４のいずれも操作されなかった場合には、マイコン７からの指令により各行先釦２の点滅が終了される（Ｓ１１）。これにより、釦配列登録データのＲＡＭ１５への記憶が完了する（Ｓ１２）。この後、ＲＡＭ１５に記憶された釦配列登録データは、ＥＥＰＲＯＭ１４に記憶される（Ｓ１３）。この後、マイコン７の制御モードが設定モードから運転モードに切り替えられ（Ｓ１４）、エレベータは通常運転される。
【００３７】
このようなかご操作盤１では、マイコン７への給電が開始されたときから所定の時間内に開釦３及び閉釦４に対して所定の操作がされた場合に、マイコン７のモードが設定モードとされるようになっているので、設定モードに設定するための設定スイッチ、及び設定スイッチとマイコンとを仲介する設定スイッチインタフェースを別個に設ける必要がなくなり、部品点数を削減することができる。これにより、コストの低減を図ることができる。また、開釦３及び閉釦４の操作のみにより設定モードに切り替えることができるので、設定モードへの切り替えを容易にすることができ、釦配列登録データの登録変更を行う際の作業を容易にすることができる。さらに、設定スイッチ及び設定スイッチインタフェースを設置するためのスペースをなくすことができるので、かご操作盤１の小形化も図ることができる。
【００３８】
また、ＥＥＰＲＯＭ１４に記憶される釦配列登録データは、設定モードにおいて、各行先釦２、開釦３及び閉釦４の操作により、各行先釦２と各階床とが関連付けて設定されるようになっているので、かご操作盤１をかごに設置した後に、各行先釦２の釦配列をマイコン７に登録することができる。これにより、各行先釦２の釦配列をあらかじめマイコン７に登録している場合に比べて、各行先釦２の釦配列の変更を容易にすることができ、エレベータの運転の確認作業も容易に行うことができる。
【００３９】
また、設定モードのときに、各行先釦２と関連付けてＥＥＰＲＯＭ１４に記憶するための階床名の表示を行い、運転モードのときに、かごの位置の表示を行うインジケータ５がマイコン７に電気的に接続されているので、設定モードにおいて、登録の対象となっている階床名を容易に確認することができ、釦配列登録データのＥＥＰＲＯＭ１４への誤登録を防止することができる。
【００４０】
また、釦配列登録データは、記憶された情報を電気的に消去可能なＥＥＰＲＯＭ１４に記憶されるようになっているので、例えばエレベータの設計変更等がされる場合であっても、もとの釦配列登録データを消去した後、新たな釦配列登録データをＥＥＰＲＯＭ１４に記憶させることにより、ＥＥＰＲＯＭ１４への登録変更を容易に行うことができる。これにより、増設ＲＯＭ等を設置するためのスペースをなくすことができ、かご操作盤１の小形化をさらに図ることができる。
【００４１】
なお、上記の例では、マイコン７への電源投入がなされてから所定の時間内に開釦３及び閉釦４に対して所定の操作が行われている場合に、マイコン７の制御モードが設定モードとされるようになっているが、マイコン７への給電が開始されたときから所定の時間だけ、マイコン７の制御モードが設定モードとされるようにしてもよい。このようにしても、マイコン７の制御モードを設定モードとするための設定スイッチをなくすことができ、コストの低減、登録変更の際の作業の容易化、及びかご操作盤１の小形化を図ることができる。
【００４２】
実施の形態２．
図４は、この発明の実施の形態２によるかご操作盤を示すブロック図である。図において、かご制御基板６には、エレベータ制御装置１２とマイコン７との間を仲介するための第１信号入出力インタフェース３１と、釦配列登録データを記憶可能な保守用コンピュータ（データ入出力装置）３２とマイコン７との間を仲介するための第２信号入出力インタフェース３３とが設けられている。保守用コンピュータ３２は、第２信号入出力インタフェース３３に対して電気的に接続及び切り離し可能になっている。
【００４３】
マイコン７が運転モードとされている場合には、エレベータ制御装置１２とマイコン７との間で、エレベータの運転に必要な情報の伝送が可能になっている。これにより、エレベータの運転が制御されるようになっている。
【００４４】
マイコン７が設定モードとされている場合には、保守用コンピュータ３２が第２信号入出力インタフェース３３に電気的に接続されることにより、マイコン７のＥＥＰＲＯＭ１４と保守用コンピュータ３２との間で、釦配列登録データの伝送が可能になっている。即ち、釦配列登録データがＥＥＰＲＯＭ１４に記憶されている場合にはＥＥＰＲＯＭ１４から保守用コンピュータ３２へ、釦配列登録データが保守用コンピュータ３２に記憶されている場合には保守用コンピュータ３２からＥＥＰＲＯＭ１４へ、釦配列登録データを転送（書き込み）可能になっている。
【００４５】
また、マイコン７と保守用コンピュータ３２との間の情報伝送に用いられる通信プロトコルと、マイコン７とエレベータ制御装置１２との間の情報伝送に用いられる通信プロトコルとは、互いに異なっている。従って、保守用コンピュータ３２及びマイコン７間の情報のやり取りと、エレベータ制御装置１２及びマイコン７間の情報のやり取りとが混同することはない。
【００４６】
図５は、図４のマイコン７から保守用コンピュータ３２へのデータ転送時におけるマイコン７及び保守用コンピュータ３２のそれぞれの情報の出力状態を示す説明図である。図において、保守用コンピュータ３２は、ＥＥＰＲＯＭ１４に記憶された釦配列登録データを取得するために、転送要求コード「００１」をマイコン７へ出力するようになっている。
【００４７】
マイコン７は、転送要求コード「００１」が入力されると、釦配列登録データに含まれる複数の釦データを保守用コンピュータ３２へ順次転送するようになっている。また、マイコン７は、釦配列登録データの転送が終了したときに、転送終了コード「００３」を保守用コンピュータ３２へ出力するようになっている。保守用コンピュータ３２は、転送終了コード「００３」の入力により、釦配列登録データの記憶を終了するようになっている。
【００４８】
図６は、図４の保守用コンピュータ３２からマイコン７へのデータ転送時における保守用コンピュータ３２の情報の出力状態を示す説明図である。図において、保守用コンピュータ３２は、釦配列登録データをＥＥＰＲＯＭ１４に記憶させるために、転送開始コード「００２」をマイコン７へ出力するようになっている。また、保守用コンピュータ３２は、転送コード「００２」を出力した後、釦配列登録データに含まれる複数の釦データをマイコン７へ順次転送するようになっている。さらに、保守用コンピュータ３２は、釦配列登録データの転送が終了したときに、転送終了コード「００３」をマイコン７へ出力するようになっている。
【００４９】
ＥＥＰＲＯＭ１４には、転送開始コード「００２」が入力された後、転送終了コード「００３」が入力されるまでの間に、保守用コンピュータ３２から転送された釦配列登録データが記憶されるようになっている。他の構成は実施の形態１と同様である。
【００５０】
次に、データ転送時の動作について説明する。まず、保守用コンピュータ３２を第２信号入出力インタフェース３３に接続して、保守用コンピュータ３２とマイコン７との間での情報伝送が可能となるようにする。
【００５１】
図７は、図４のマイコン７と保守用コンピュータ３２との間でのデータ転送時におけるマイコン７の動作を示すフローチャートである。図において、保守用コンピュータ３２を第２信号入出力インタフェース３３に接続した後、マイコン７が設定モードになっていることを確認する（Ｓ２１）。マイコン７は、設定モードにおいて、保守用コンピュータ３２から転送要求コード「００１」を受信したか否かを判定する（Ｓ２２）。
【００５２】
転送要求コード「００１」を受信したと判定した場合には、ＥＥＰＲＯＭ１４に記憶されている釦配列登録データを保守用コンピュータ３２へ順次送信する（Ｓ２３）。この後、釦配列登録データの送信が終了したときに、転送終了コード「００３」を保守用コンピュータ３２へ出力する（Ｓ２４）。これにより、マイコン７から保守用コンピュータ３２へのデータ転送が終了する。
【００５３】
転送要求コード「００１」を受信していないと判定した場合には、保守用コンピュータ３２から転送開始コード「００２」を受信したか否かを判定する（Ｓ２５）。
【００５４】
転送開始コード「００２」を受信したと判定した場合には、保守用コンピュータ３２から受信した釦配列登録データをＥＥＰＲＯＭ１４に順次記憶する（Ｓ２６）。この後、保守用コンピュータ３２から転送終了コード「００３」を受信し（Ｓ２７）、釦配列登録データの転送が終了する。
【００５５】
転送開始コード「００２」を受信していないと判定した場合には、マイコン７と保守用コンピュータ３２との間のデータ転送は行われない。
【００５６】
このようなかご操作盤では、釦配列登録データを記憶可能な保守用コンピュータ３２がマイコン７に電気的に接続可能になっており、釦配列登録データは、保守用コンピュータ３２がマイコン７に電気的に接続されているときに、保守用コンピュータ３２とＥＥＰＲＯＭ１４との間で伝送可能になっており、マイコン７が設定モードとなっているときに、保守用コンピュータ３２からＥＥＰＲＯＭ１４への釦配列登録データの書き込みが可能になっているので、もとのかご制御基板６のＥＥＰＲＯＭ１４から保守用コンピュータ３２に釦配列登録データをあらかじめ取り込んでおくことにより、例えばマイコン７の故障等によるかご制御基板６の交換時に、交換用のかご制御基板のＥＥＰＲＯＭ１４に保守用コンピュータ３２から釦配列登録データを転送することができる。これにより、かご制御基板の交換の度ごとに、各操作釦を操作して釦配列登録データを登録する手間をなくすことができ、保守用コンピュータ３２に記憶された釦配列登録データを交換用のＥＥＰＲＯＭに容易に記憶させることができる。
【００５７】
また、複数台のかご操作盤に互いに同一の釦配列登録データを登録する場合、各操作釦の操作により１台のかご操作盤に釦配列登録データを登録してしまえば、残りのかご操作盤へは保守用コンピュータ３２により釦配列登録データを転送することができるので、釦配列登録データの各かご操作盤への登録の手間を少なくすることができる。
【００５８】
なお、上記の例では、エレベータ制御装置１２と保守用コンピュータ３２とが互いに異なる信号入出力インタフェース３１，３３を介してマイコン７に電気的に接続されるようになっているが、共通の信号入出力インタフェースに接続された選択接続手段によって、エレベータ制御装置１２及び保守用コンピュータ３２をマイコン７に選択的に接続されるようにしてもよい。即ち、エレベータ制御装置１２及び保守用コンピュータ３２をマイコン７に選択的に接続するための選択接続手段を共通の信号入出力インタフェースに接続するようにしてもよい。選択接続手段としては、例えば接触式の切替スイッチ等が挙げられる。
【図面の簡単な説明】
【００５９】
【図１】この実施の形態１によるエレベータのかご操作盤を示すブロック図である。
【図２】図１のマイコンの機能構成を示すブロック図である。
【図３】図１のかご操作盤の動作を示すフローチャートである。
【図４】この発明の実施の形態２によるエレベータのかご操作盤を示すブロック図である。
【図５】図４のマイコンから保守用コンピュータへのデータ転送時におけるマイコン及び保守用コンピュータのそれぞれの情報の出力状態を示す説明図である。
【図６】図４の保守用コンピュータからマイコンへのデータ転送時における保守用コンピュータの情報の出力状態を示す説明図である。
【図７】図４のマイコンと保守用コンピュータとの間でのデータ転送時におけるマイコンの動作を示すフローチャートである。
【符号の説明】
【００６０】
１  かご操作盤、２  行先釦（操作釦）、３  開釦（操作釦）、４  閉釦（操作釦）、５  インジケータ（表示装置）、７  マイコン（かご制御部）、１４  記憶部（ＥＥＰＲＯＭ）、３２  保守用コンピュータ（データ入出力装置）。
【図１】
2006151576.tif 000003
【図２】
2006151576.tif 000004
【図３】
2006151576.tif 000005
【図４】
2006151576.tif 000006
【図５】
2006151576.tif 000007
【図６】
2006151576.tif 000008
【図７】
2006151576.tif 000009